(57)【要約】【課題】照明器具において、器具トータルのコストを低減し、かつ、交換・補修用に点灯回路部をブロックとして供給可能とする。【解決手段】電子部品を実装したプリント基板を含む点灯回路部４、及び点灯回路部４を覆う充電部カバー６が、器具構造体としての取付本体２に固定され、点灯回路部４と取付本体２との間に、点灯回路部４を保持する金属ケース１１を備え、この金属ケース１１には充電部カバー６の爪Ｄを係止可能な角穴２３が形成され、金属ケース１１に充電部カバー６を係止させることができる。このため、点灯回路部４を金属ケース１１と充電部カバー６とで覆った一体化構成とすることができ、交換・補修用としても提供可能となる。【選択図】図３
2005135584.tif 000002
【特許請求の範囲】
【請求項１】
電子部品を実装したプリント基板を含む点灯回路部が器具構造体に固定され、さらに前記点灯回路部を覆うカバーが器具構造体に固定される照明器具において、
前記点灯回路部と器具構造体との間に介在され、前記点灯回路部を保持する金属ケースを備え、この金属ケースには、前記カバーを係止可能な係止部が形成されていることを特徴とする照明器具。
【請求項２】
前記カバーは、器具構造体へ固定するための固定部を有し、
前記金属ケースは、前記固定部に対応する部位を切り欠いていることを特徴とする請求項１記載の照明器具。
【請求項３】
前記金属ケース及びカバーは、それぞれ器具構造体へ固定するための少なくとも一対の固定部を有し、それぞれの固定部は互いに略千鳥に配置されていることを特徴とする請求項１又は請求項２記載の照明器具。
【発明の詳細な説明】
【技術分野】
【０００１】
本発明は、点灯回路部を器具構造体に固定して成る照明器具に関する。
【背景技術】
【０００２】
この種の照明器具においては、点灯回路部（主には電子部品が実装されているプリント基板）を含む充電部を保護するためにカバーで覆うようにしており、次の２つのタイプがある。第１のタイプは、図８に示すように、カバーとなるケース内に点灯回路部を内蔵した器具内用安定器１を構成し、これを器具構造体である取付本体２に取付用部材としての安定器カバー３により固定した照明器具である（特許文献１参照）。第２のタイプは、図９及び図１０に示すように、電子部品が露出した状態の点灯回路部４を取付本体２に絶縁板５を介して固定し、それを充電部カバー６で覆った照明器具である。なお、これら照明器具は、主に天井埋め込み型として使用され、取付本体２には、ランプソケット７ａ、ランプ７ｂ、反射板７ｃ、端子台８が設けられている。
【特許文献１】実開平２−４７７２０号公報
【発明の開示】
【発明が解決しようとする課題】
【０００３】
ところが、図８に示す照明器具については、器具内用安定器１は、ケースで覆われていて、これだけで交換自在であるが、器具内用として使用されることから、取付本体２と安定器カバー３の双方でさらなる器具外郭を形成し、感電保護に対しては構造的には二重の保護を行っていることになり、結果的に器具トータルのコストアップに繋がっていた。
【０００４】
また、図９及び図１０に示す照明器具については、点灯回路部４として構造部材を持たないブロックを使用することから、安価となるが、点灯回路部４の故障などの際に、交換・補修用としてのブロックを市場に提供することは、感電保護の点から、難しい。また、点灯回路部４を収納する部材が器具個々に異なる可能性もあり、部品製造の点からもコスト的にも高くなりやすい。なお、充電部カバー６は、取付本体２にそれぞれの取付用孔９を用いて固定される。
【０００５】
本発明は、上記問題を解消するものであり、器具トータルのコストを低減し、かつ、交換・補修用に点灯回路部をブロックとして供給可能で、利便性の高い照明器具を提供することを目的とする。
【課題を解決するための手段】
【０００６】
上述目的を達成するため、請求項１の発明は、電子部品を実装したプリント基板を含む点灯回路部が器具構造体に固定され、さらに前記点灯回路部を覆うカバーが器具構造体に固定される照明器具において、前記点灯回路部と器具構造体との間に介在され、前記点灯回路部を保持する金属ケースを備え、この金属ケースには、前記カバーを係止可能な係止部が形成されていることを特徴とする。
【０００７】
請求項２の発明は、請求項１記載の照明器具において、カバーは、器具構造体へ固定するための固定部を有し、前記金属ケースは、前記固定部に対応する部位を切り欠いているものである。
【０００８】
請求項３の発明は、請求項１又は請求項２記載の照明器具において、金属ケース及びカバーは、それぞれ器具構造体へ固定するための少なくとも一対の固定部を有し、それぞれの固定部は互いに略千鳥に配置されているものである。
【発明の効果】
【０００９】
請求項１の発明によれば、点灯回路部は金属ケースに保持されたブロック状態で取り扱い可能となるので、金属ケースを介して点灯回路部を器具構造体に固定した照明器具を提供することができる。このため、従来の器具内用安定器の場合のような感電保護について必要以上の構造とならずに、低コストとなる。また、金属ケースを用いたことで、点灯回路部から器具構造体への放熱作用が良好となり、特別な放熱板を必要とせず、充電部の小型化・低コスト化に繋がり、また、金属ケースへの点灯回路部の接地導通を容易に確保できる。さらに、金属ケースに点灯回路部を覆うカバーを係止させることができるので、点灯回路部を金属ケースとカバーとで覆った一体化構成とすることができる。その結果、交換・補修用の器具内用安定器として提供することも可能となる。
【００１０】
請求項２の発明によれば、カバーを器具構造体へ固定するときに、金属カバーが干渉して邪魔になることがない。
【００１１】
請求項３の発明によれば、金属ケース及びカバーを器具構造体へ固定するときに、互いに干渉し合うことがなく、しかも、少ない固定箇所での器具への組み込みが可能となる。
【発明を実施するための最良の形態】
【００１２】
以下、本発明の実施例による照明器具について図面を参照して説明する。図１乃至図６は、本実施例による照明器具を示す。照明器具１０は、天井埋め込み型として使用され、器具構造体としての取付本体２と、これに搭載された点灯装置（充電部）２０と、ランプソケット７ａ、ランプ７ｂ、反射板７ｃ、端子台８とから成る。点灯装置２０は、プリント基板に電子部品が実装された点灯回路部４と、この点灯回路部４を覆う充電部カバー６と、点灯回路部４を保持する金属ケース１１とを含む。点灯回路部４は、部品ブロックとして完結しているが、絶縁対策を行った後、図示していない絶縁板などを介して金属ケース１１に係止される。金属ケース１１は、点灯回路部４と取付本体２との間に介在される形で設けられ、取付本体２に固定される。
【００１３】
充電部カバー６は取付本体２に固定される。この充電部カバー６は、凡そ上面が開口した箱体状であり、取付本体２へ固定するための少なくとも一対の取付用孔９ａ，９ｂを有した固定部１３，１４を有し、また、金属ケース１１を覆うように装着した状態で、金属ケース１１が浮き上がる（下方へ）のを防止するための突出片１５が形成されている。
【００１４】
金属ケース１１は、アルミ材など熱伝導性の良い材料で作製され、充電部カバー６の矩形よりも小さい矩形の周囲三辺に下向きに高さの低い垂直壁が設けられ、その内方に点灯回路部４を保持し得る形態を有し、取付本体２へ固定するための少なくとも一対の取付用孔１２ａ，１２ｂを有した固定部２１，２２を有する。充電部カバー６の取付用孔９ａ，９ｂ及び金属ケース１１の取付用孔１２ａ，１２ｂは、互いに略千鳥に配置されている。金属ケース１１には、充電部カバー６の固定部１４に対応する部位を切り欠いて切り欠き部２２ａが形成され、また、充電部カバー６を係止可能な係止部として角穴２３が垂直壁の四隅に形成されている。充電部カバー６には、角穴２３に曲げ込まれる爪Ｄが形成されている。金属ケース１１の垂直壁には、複数対の爪Ｂと、半月状ダボＣとが設けられていて、点灯回路部４を金属ケース１１内に取り付けた後、爪Ｂを曲げ込むことで、半月状ダボＣとの間にプリント基板を挟み込む（図６参照）。
【００１５】
点灯回路部４は、図３に示されるように、器具内配線用端子台４ａがプリント基板に実装され、これが充電部カバー６の切り欠き６ａから点灯装置２０の外に突出している。
【００１６】
上記のように構成された照明器具においては、点灯回路部４のプリント基板を金属ケース１１の爪Ｂ及び半月状ダボＣにより挟み込んで、金属ケース１１に固定することができ、従って、点灯回路部４としては、金属ケース１１に取り付けられたブロック状態として取り扱い可能となる。このとき、金属ケース１１は熱伝導が良いことで、点灯回路部４の取付本体２への放熱作用が得られるので、従来に比べて点灯回路部４等の小型化が達成できる。従来は、絶縁性能を空間距離に依存していたため、点灯回路部からの発熱対策は、サイズを大きくしたり、放熱板を個別に設けたりして、結果としてコストアップに繋がっていた。
【００１７】
また、金属ケース１１は、充電部カバー６との嵌合が可能なように爪Ｂ及び角穴２３を有している。爪Ｂは、プリント基板保持用の爪として使用されるが、点灯装置２０を器具内用安定器として使用する場合は、金属ケース１１の角穴２３に充電部カバー６の爪Ｄを曲げ込むことで、金属ケースとして一体化することが可能になり、結果として、器具内用安定器の要求を満足することが可能になる。
【００１８】
また、金属ケース１１を用いることで、熱伝導による放熱効果と、接地導通の確保の容易化が挙げられる。点灯回路部４のプリント基板上に設けた接地端子部（図示なし）から直接、ネジなどを介して金属ケース１１に導通を取ることができる。
【００１９】
次に、金属ケース１１及び充電部カバー６の取付本体２への固定構造に関して説明する。金属ケース１１は、一側の中央付近に、取付用孔１２ａを持つ固定部２１を有し、他側には前記固定部２１と略千鳥配置になる位置に、取付用孔１２ｂを有する。点灯装置２０のサイズ・質量にもよるが、金属ケース１１は、この千鳥配置の２点による固定を基本としている。この場合、充電部カバー６の取付用孔９ａ，９ｂは、金属ケース１１と千渉しない位置に、略千烏配置に設けられている。このようにすることで、充電部カバー６も２点による固定も可能になり、器具への組み込み工数（ネジ本数・組み込み工数）の短縮が図れる。また、金属ケース１１と充電部カバー６とは、それぞれ独立して取付本体２へ固定することができる。
【００２０】
図７は、金属ケース１１の他の実施例による構成を示す。この金属ケース１１は、天板部に開口部２５を設けている。これにより、放熱状態をコントロールすることができ、電子部品のレイアウトに応じたブロック放熱対策が可能となる。
本発明は、上記実施例構成に限られず、種々の変形が可能であり、例えば、上記では天井埋め込み型について示したが、これに限られるものではない。
【図面の簡単な説明】
【００２１】
【図１】本発明の実施例による照明器具の取付状態の側断面図。
【図２】同照明器具の主として点灯装置部の分解斜視図。
【図３】図２のＡ矢視方向からの点灯装置部の分解斜視図。
【図４】金属ケースの底面図。
【図５】充電部カバーの底面図。
【図６】金属ケースと点灯回路部の固定構造を示す断面図。
【図７】金属ケースの他の実施例を示す斜視図。
【図８】従来の照明器具の取付状態を示す側断面図。
【図９】従来の他の照明器具の取付状態を示す側断面図。
【図１０】図９に示した照明器具の点灯装置部の分解斜視図。
【符号の説明】
【００２２】
１０    照明器具
２    取付本体
４    点灯回路部
６    充電部カバー
９ａ，９ｂ    取付用孔
１１    金属ケース
１２ａ，１２ｂ    取付用孔
１３，１４    固定部
２１，２２    固定部
２２ａ    切り欠き部
２３    角穴（係止部）
Ｂ，Ｄ    爪
Ｃ    半月状ダボ
【図１】
2005135584.tif 000003
【図２】
2005135584.tif 000004
【図３】
2005135584.tif 000005
【図４】
2005135584.tif 000006
【図５】
2005135584.tif 000007
【図６】
2005135584.tif 000008
【図７】
2005135584.tif 000009
【図８】
2005135584.tif 000010
【図９】
2005135584.tif 000011
【図１０】
2005135584.tif 000012